(57)【要約】【課題】施工性を向上させコストダウンをはかることができる建築物とその工法を得る。【解決手段】予め規定の寸法にカットされて撓み性を有し、構造体を構成する合板４と、表面に長手方向の溝６が形成された柱５Ｂとを備え、隣り合う柱５ＢＲ、５ＢＬを、互いに溝６を向き合わせ、かつ、上記合板４の嵌め入れ側両端部間の寸法Ｗ１と柱５ＢＲ、５ＢＬの溝６の深さＤ２とに応じて合板４の嵌め入れ側両端部間の寸法Ｗ１から溝６に隠れる合板の両辺の隠れしろＷ３分を差し引いて、合板４の嵌め入れ側両端部間の寸法Ｗ１より狭く設定された間隔Ｌ１で配置した後、柱５ＢＲ、５ＢＬを組み立て、組み立てられ溝６が向き合う柱５ＢＲ、５ＢＬ間に合板４を押し込んで嵌め入れるようにしている。【選択図】図３
2009155980.tif 000002
【特許請求の範囲】
【請求項１】
軸組構造による建築物であって、撓み性を有し、予め規定の寸法にカットされ構造体を構成する板と、表面に長手方向の溝が形成された軸組材とを備え、軸組材を、互いに溝を向き合わせて、かつ、これら軸組材間の間隔を上記板の両端部が上記各溝に嵌るよう狭めて配置して組み立て、組み立てられ向かい合う軸組材の溝に板を嵌め入れることを特徴とする建築物。
【請求項２】
溝が向き合う軸組材間の間隔を、板の嵌め入れ側両端部間の寸法と、板の嵌め入れ側両端部の隠れしろと、溝の深さとに応じて設定することを特徴とする請求項１に記載の建築物。
【請求項３】
軸組材を柱により構成し、溝を板が所定の壁散寸法を有するよう柱の側面端部から側面中央側にずらせて形成したことを特徴とする請求項２に記載の建築物。
【請求項４】
隣り合う柱を、それらの間隔が板の横方向寸法より短寸となるよう配置し、溝の深さを、板の左右側それぞれの隠れしろ分に遊びを加えて設定することを特徴とする請求項２または３に記載の建築物。
【請求項５】
板の屋外側または屋内側のうち少なくともいずれか一方には、軸組材間に別の壁材を配置し、軸組材間に多重壁を設けたことを特徴とする請求項３または４に記載の建築物。
【請求項６】
嵌め入れられた板は、固定材を介して軸組材に固定されることを特徴とする請求項１ないし５のうちいずれか１に記載の建築物。
【請求項７】
屋内の軸組材間に嵌合される板を取り外し自在としたことを特徴とする請求項１ないし５のうちいずれか１に記載の建築物。
【請求項８】
軸組構造による建築物の施工方法であって、撓み性を有し、予め規定の寸法にカットされ構造体を構成する板と、表面に長手方向の溝が形成された軸組材とを備え、
軸組材を、互いに溝を向き合わせ、かつ、これら軸組材間の間隔を上記板の両端部が上記各溝に嵌るよう狭めて配置して組み立てる第１の工程と、
組み立てられた軸組材開口部の溝に板を嵌め入れる第２の工程とを有することを特徴とする建築物の施工方法。
【請求項９】
第２の工程で、板の一端を向かい合う軸組材のうち一方の軸組材の溝に嵌合させ、板の他端を他方の軸組材に当てた後、板の他端を他方の軸組材の溝に導くよう板を押圧して撓ませ、他端を他方の軸組材の溝に嵌め入れることを特徴とする請求項８に記載の建築物の施工方法。
【請求項１０】
第１の工程で、軸組材を組み立てる際、向かい合う軸組材の組みのうち一部には、向かい合う軸組材の間に板を嵌め入れた後、これら軸組材と板とを固定することを特徴とする請求項８または９に記載の建築物の施工方法。
【発明の詳細な説明】
【技術分野】
【０００１】
本発明は、建築物とその施工方法に関し、特に、住宅とその施工方法に関するものである。
【背景技術】
【０００２】
一般に、建築物、特に、住宅の施工に関しては、効率よく施工されることが求められ、コストダウンにもつながる。このため、例えば、図１１の（Ａ）〜（Ｄ）に示すように、構造部材（軸組材、具体的には、土台、柱、梁等）２と複合パネル（枠材に合板を接合したパネル）３とをそれぞれ予めプレカットし、これら構造部材２と合板３とを現場に持ち込み、組み立てる施工方法が知られている。また、従来、例えば、このような技術として、現場と異なる作業場で、予めパネルを桟木枠の枠面に予め木質の化粧板を固定して形成するとともに、プレカットされた柱の側面に凹溝を形成し、これらパネルと柱（軸組材）を現場に持ち運び、パネルの化粧板端部を、柱の側面に形成した凹溝に収容させて順次構造部材を建て込み、内装作業の効率化を図った住宅の組み立て工法が知られている（特許文献１参照）。
【特許文献１】特開２００４−１９７３２９号公報（第６−７頁、図３）
【発明の開示】
【発明が解決しようとする課題】
【０００３】
しかしながら、上記図１１に記載の従来の建築物の施工方法では、合板の寸法を軸組材の間隔に正確に合致させなければならず、カット寸法が異なる多種の合板を予め製作し、どこの軸組材間に配置するか管理しなければならないという問題がある。しかも、設計通り合板をカットし、軸組材の配置が設計通り行われても、現場の状況により軸組材間に微小なずれが生じた場合、合板と軸組材との間に隙間が生じ、設計通りの耐力性能を発揮できない虞がある。また、上記特許文献１に記載の建築物の施工方法では、軸組材の溝にパネルの化粧板端部を収容させるため、軸組材の配置とパネルの建て込みとを順次繰り返して行わなければならず、例えば、現場でパネルの寸法に不具合があると、作業を中止し、新たにパネルを製作し直し、再び現場に持ち込む必要があり、施工効率が悪いという問題がある。さらに、上記特許文献１に記載の従来の施工方法では、軸組材だけを先行させて建て込み、その後、軸組材にパネルを組み付けることはできないという問題があった。
【０００４】
本発明は、上記課題を解決するためになされたもので、簡素な構成で、作業効率を向上させ、たとえ軸組材間に微小なずれが生じても吸収することができ、耐力壁を作り直す必要がない建築物とその施工方法を提供することを目的とするものである。
【課題を解決するための手段】
【０００５】
本発明の請求項１に係る建築物は、軸組構造による建築物であって、撓み性を有し、予め規定の寸法にカットされ構造体を構成する板と、表面に長手方向の溝が形成された軸組材とを備え、軸組材を、互いに溝を向き合わせて、かつ、これら軸組材間の間隔を上記板の両端部が上記各溝に嵌るよう狭めて配置して組み立て、組み立てられ向かい合う軸組材の溝に板を嵌め入れることを特徴とするものである。
【０００６】
本発明の請求項１に係る建築物では、軸組構造による建築物であって、撓み性を有し、予め規定の寸法にカットされ構造体を構成する板と、表面に長手方向の溝が形成された軸組材とを備え、軸組材を、互いに溝を向き合わせて、かつ、これら軸組材間の間隔を上記板の両端部が上記各溝に嵌るよう狭めて配置して組み立て、組み立てられ向かい合う軸組材の溝に板を嵌め入れるようにしたことにより、軸組材を組み立てた後、軸組材間に板を嵌め入れるようにしているので、作業の効率化を図ることができる。さらに、軸組材間に板を撓ませて押し込むだけで、板を簡易に組み付けることができ、作業効率が向上する。軸組材の組み立て時、現場の状況により軸組材間にたとえ微小なずれが生じても、予め溝の深さを深めに設定することにより、板は溝に嵌り込みやすくなり、板の嵌め込み側両端は確実に溝内に収容される。このため、設計通りの構造耐力が確保される。また、予め規定の寸法にカットされた既成の汎用合板を用いることができるので、従来のように建築物に合わせて軸組材間の寸法に合致させたパネルを予め製作する必要がなく、コストダウンを図ることができる。さらに、軸組材間へ板を嵌め入れる際、格別の技術を必要とすることがないので、高度熟練者でなくとも組付けを行うことができる。
【０００７】
また、請求項２に係る建築物は、溝が向き合う軸組材間の間隔を、板の嵌め入れ側両端部間の寸法と、板の嵌め入れ側両端部の隠れしろと、溝の深さとに応じて設定することを特徴とするものである。
【０００８】
さらに、請求項３に係る建築物は、軸組材を柱により構成し、溝を板が所定の壁散寸法を有するよう柱の側面端部から側面中央側にずらせて形成したことを特徴とするものである。
【０００９】
請求項４に係る建築物は、隣り合う柱を、それらの間隔が板の横方向寸法より短寸となるよう配置し、溝の深さを、板の左右側それぞれの隠れしろ分に遊びを加えて設定することを特徴とするものである。
【００１０】
請求項５に係る建築物は、板の屋外側または屋内側のうち少なくともいずれか一方には、軸組材間に別の壁材を配置し、軸組材間に多重壁を設けたことを特徴とするものである。
【００１１】
請求項６に係る建築物は、嵌め入れられた板は、固定材を介して軸組材に固定されることを特徴とするものである。
【００１２】
請求項７に係る建築物は、屋内の軸組材間に嵌合される板を取り外し自在としたことを特徴とするものである。
【００１３】
請求項８に係る建築物の施工方法は、軸組構造による建築物の施工方法であって、撓み性を有し、予め規定の寸法にカットされ構造体を構成する板と、表面に長手方向の溝が形成された軸組材とを備え、軸組材を、互いに溝を向き合わせ、かつ、これら軸組材間の間隔を上記板の両端部が上記各溝に嵌るよう狭めて配置して組み立てる第１の工程と、組み立てられた軸組材開口部の溝に板を嵌め入れる第２の工程とを有することを特徴とするものである。
【００１４】
請求項８に係る建築物の施工方法では、軸組構造による建築物の施工方法であって、撓み性を有し、予め規定の寸法にカットされ構造体を構成する板と、表面に長手方向の溝が形成された軸組材とを備え、軸組材を、互いに溝を向き合わせ、かつ、これら軸組材間の間隔を上記板の両端部が上記各溝に嵌るよう狭めて配置して組み立てる第１の工程と、組み立てられた軸組材開口部の溝に板を嵌め入れる第２の工程とを有するようにしたことにより、建築物は、第１の工程で、軸組材を互いに溝を向き合わせ、かつ、上記板の幅に応じて所定の距離を隔てて配置し、第２の工程で配置された軸組材間に板を嵌め入れて組み立てられる。このため、軸組材だけを先行させて建て込み、その後、軸組材間に板を撓ませて押し込むと軸組材に板を簡易に組み付けることができ、作業効率が向上する。軸組材の建て込み時、現場の状況により軸組材間にたとえ微小なずれが生じても、予め溝の深さを設定することにより板の嵌め込み側両端は確実に溝内に収容されるので、設計通りの構造耐力が確保される。また、規定の寸法にカットされた板を用いるので、軸組材間の寸法を板の寸法に応じて所定の間隙を隔てて配置しさえすれば、既成の汎用性のある板を利用することができ、耐力壁としての板をカットする必要がなくなる。さらに、軸組材間への板の組み付けの際、格別の技術を必要とすることがないので、高度熟練者でなくとも組付けを行うことができる。
【００１５】
請求項９に係る建築物の施工方法は、第２の工程で、板の一端を向かい合う軸組材のうち一方の軸組材の溝に嵌合させ、板の他端を他方の軸組材に当てた後、板の他端を他方の軸組材の溝に導くよう板を押圧して撓ませ、他端を他方の軸組材の溝に嵌め入れることを特徴とするものである。
【００１６】
請求項１０に係る建築物の施工方法は、第１の工程で、軸組材を組み立てる際、向かい合う軸組材の組みのうち一部には、向かい合う軸組材の間に板を嵌め入れた後、これら軸組材と板とを固定することを特徴とするものである。
【発明の効果】
【００１７】
本発明に係る建築物は、軸組構造による建築物であって、撓み性を有し、予め規定の寸法にカットされ構造体を構成する板と、表面に長手方向の溝が形成された軸組材とを備え、軸組材を、互いに溝を向き合わせて、かつ、これら軸組材間の間隔を上記板の両端部が上記各溝に嵌るよう狭めて配置して組み立て、組み立てられ向かい合う軸組材の溝に板を嵌め入れるようにしているので、作業効率を向上させることができる。軸組材間に発生する微小なずれも吸収することができるので、施工性が向上する。板を予めカットする必要がなく、効率の向上とコストダウンを図ることができる。
【００１８】
本発明に係る建築物の施工方法は、軸組構造による建築物の施工方法であって、撓み性を有し、予め規定の寸法にカットされ構造体を構成する板と、表面に長手方向の溝が形成された軸組材とを備え、軸組材を、互いに溝を向き合わせ、かつ、これら軸組材間の間隔を上記板の両端部が上記各溝に嵌るよう狭めて配置して組み立てる第１の工程と、組み立てられた軸組材開口部の溝に板を嵌め入れる第２の工程とを有するようにしているので、作業効率を向上させることができる。軸組材間に発生する微小なずれも吸収することができるので、施工性が向上する。板を予めカットする必要がなく、効率の向上とコストダウンを図ることができる。また、軸組材建て込み後、板を容易に嵌め入れて建築物を組み立てることができるので、高度熟練者でなくとも組み立てることができコストダウンを図ることができる。
【発明を実施するための最良の形態】
【００１９】
作業効率の向上とコストダウンを図るという目的を、予め規定の寸法にカットされて撓み性を有し、構造体を構成する板と、表面に長手方向の溝が形成された柱とを備え、隣り合う柱を互いに溝を向き合わせ、かつ、上記板の嵌め入れ側両端部間の寸法と柱の溝の深さとに応じて板の嵌め入れ側両端部間の寸法から溝に隠れる板の両辺の隠れしろ分を差し引いて、板の嵌め入れ側両端部間の寸法より狭く設定された間隔で配置した後、柱を組み立て、組み立てられ溝が向き合う柱間に板を嵌め入れるようにしたことにより実現した。
【実施例１】
【００２０】
以下、図面に示す実施例により本発明を説明する。図１は、木造軸組構法による軸組構造の構成要素を示す斜視図、図２は、本発明の第１の実施例に係る建築物の組み立て時の状態を示す斜視図、図３の（Ａ）ないし（Ｃ）はそれぞれ、上記実施例に係る建築物の組み立て時の要部の状態を示す横断面図、組み立て後、合板を嵌め込む状態を示す横断面図および合板の嵌め込み後外壁を取り付けた状態を示す横断面図である。本実施例に係る建築物１０は、図１に示すように、軸組構法による軸組構造５を備えたものである。建築物１０は、図２に示すように、構造体の耐力壁を構成する構造用合板（板）４と、構造体である軸組５とを備えて構成される。
【００２１】
合板４は、予め規定の寸法（例えば、本実施例では、Ｔ１×Ｗ１×Ｈ１＝９×９１０×２４３０mm）にカットされ、撓み性を有するものが用いられる。この合板４は、一般に市販されている規格寸法に基づいてカットされたものが用いられる。すなわち、例えば、上記規定寸法以外にも、厚さ９mmの合板で横寸法が６００mm、９１０mm、１０００mmに、縦寸法が１８２０mm、２０００mm、２７３０mm、３０３０mmにカットされているものが知られている。構造用合板４の厚さＴ１は９mmが好ましいが、撓み性を得られる７．５mm〜１２mmの範囲であればよい。
【００２２】
軸組５は、土台５Ａ、柱（四角柱）５Ｂ、梁５Ｃ、桁５Ｄなどの軸組材から構成される骨組みである。土台５Ａは基礎７上に固定される。柱５Ｂは土台５Ａ上に垂直に組み付けられ、横架材としての梁５Ｃおよび桁５Ｄは、柱５Ｂに水平に組み付けられる。柱５Ｂは、本実施例では、例えば、１０５×１０５mmの規格の柱が用いられる。これら軸組材５Ａ〜５Ｄのうち、柱５Ｂには、図２および図３の（Ａ）〜（Ｃ）に示すように、一側面に長手方向の溝６が形成される。この溝６には、合板４の左右両側端８、９が嵌め入れられるようになっている。この溝６の幅Ｗ２（本実施例では１０mm）は、図４に示すように、合板４の厚さＴ１（本実施例では９mm）よりわずかに大きく形成される。溝６の深さＤ２（本実施例では１０mm）は、合板４が隣り合う柱５ＢＲ、５ＢＬ間に嵌め入れられる左右両側端８、９のそれぞれの隠れしろＷ３分に応じ多少の余裕を持たせて決められる。すなわち、溝６の深さＤ２は、合板４の左右両側端８、９の各隠れしろＷ３分に遊びＰ１を加えて設定するようになっている（Ｄ２（＝Ｗ３＋Ｐ１）×２＞Ｗ３×２）。例えば、合板４の左右両側端８、９の各隠れしろＷ３を、幅方向で７．５mmとすると、溝６の深さＤ２が１０mmの場合、それぞれ幅方向に２．５mmずつ遊びが発生する。この場合、合板４は、柱５ＢＲ、５ＢＬ間で５mm分左右に変位可能になる。このように構成することにより、現場で柱５Ｂを組み付ける際、わずかなずれが生じても吸収できるようになっている。また、溝６は、合板４が所定の壁散寸法を有するように、柱５Ｂの側面端部Ｅから離れて中央線ＣＬ側に近づけ、かつ、柱５Ｂ側面の中央線ＣＬより屋内ＩＮ側に近い位置に形成される。
【００２３】
ところで、本実施例に係る建築物１０は、図３の（Ａ）に示すように、土台５Ａに柱５ＢＲ、５ＢＬを配置する際、隣り合う柱５ＢＲ、５ＢＬ同士を互いに溝６を向き合わせ、かつ、それらの間隔Ｌ１（図３の（Ｂ）参照）を、合板４の横幅寸法（板の嵌め入れ側両端部間の寸法）Ｗ１より狭くして配置するようになっている。すなわち、柱５ＢＲ、５ＢＬ間の間隔Ｌ１は、合板４の横幅寸法Ｗ１から予め設定された合板４の左右両側端８、９の隠れしろＷ３分（Ｗ３×２）に準じた寸法Ｓ１（本実施例では、例えばＳ１＝Ｗ３×２＝１５mm）を差し引いた距離であり、例えば、合板４の横幅寸法Ｗ１を９１０mmとすると、Ｌ１＝８９５mm＝Ｗ１−Ｓ１）となるように決められる。この場合、柱５Ｂに、例えば１０５×１０５mmの規格の柱が用いられた場合、柱５Ｂ間のピッチＰＣ１（図５参照）は１０００mmとなる。両溝６の深さ寸法Ｄ２（Ｄ２＝Ｗ３＋Ｐ１）は、この隠れしろＷ３に応じてずれを吸収できるよう遊びＰ１の大きさが設定される。このように隣り合う柱５ＢＲ、５ＢＬ同士は、予め決められた距離Ｌ１をとって配置され組み立てられるようになっている。このため、組み立てられた隣り合う柱５ＢＲ、５ＢＬ間に、合板４を組み付けるには、図３の（Ａ）に示すように、合板４の美しい面（化粧面）を屋内ＩＮ側に向け、屋外ＯＵＴ側から合板４の一方の側端部８を一方の柱５ＢＬ（図３の（Ａ）の左側の柱５Ｂ）の溝６に嵌め入れ、合板４の他方の側端部９を他方の柱５ＢＲ（図３の（Ａ）の右側の柱５Ｂ）の側面５Ｂａに当てつけ、合板４のほぼ中央部分に上下均等に力を加え、合板４を屋内ＩＮ側に押し込むと、合板４は撓んだ状態で、他方の側端部９が側面５Ｂａにあてがわれて摺り動き、他方の柱５ＢＲの溝６に導かれ、嵌め入れられるようになっている（図３の（Ｂ）、（Ｃ）参照）。このように本実施例に係る建築物１０では、軸組５が組み立てられた後、合板４を柱５ＢＲ、５ＢＬ間に押し込んで嵌め入れるようになっている。このとき、溝６には、左右両側端部８、９の隠れしろＷ３に加え遊びＰ１が確保されているので、現場で、柱５Ｂを組み付ける際、わずかなずれが生じても吸収できるようになっている。
【００２４】
柱５ＢＲ、５ＢＬ間に嵌め入れられた合板４は、図３の（Ｃ）に示すように、桟木（固定材）１１、１１が合板４の外側面４Ａと各柱５ＢＲ、５ＢＬの互いに向き合う側面５Ｂａ、５Ｂｂとに当てつけられ、固定具（釘、ねじ等）１２によりこの桟木１１、１１を介して合板４と柱５ＢＲ、５ＢＬとが固定される。こうして、気密性が確保されるようになっている。桟木１１は柱５ＢＲ、５ＢＬ間のほぼ中央にも配置され、固定具１２により合板４と固定されるようになっている。合板４の屋外ＯＵＴ側には、プラスターボード（石膏ボード）と断熱材とからなる押出法ポリスチレンフォーム（壁材）１３を桟木１１間に取り付け、外壁が形成される。
【００２５】
次に、上記実施例に係る建築物１０の作用に基づいて建築物の施工方法について説明する。上記実施例に係る建築物１０は、構造体の耐力壁を構成し、予め規定の寸法にカットされて用いられ、撓み性を有する合板４と、構造体である軸組５とを備えて構成される。軸組５は、土台５Ａ、柱（柱）５Ｂ、梁５Ｃ、桁５Ｄなどの軸組材からなり、土台５Ａは基礎７上に固定され、柱５Ｂは土台５Ａ上に垂直に組み付けられる。軸組材５Ａ〜５Ｄのうち、柱５Ｂには、一側面に長手方向の溝６が形成される。まず、柱５Ｂの配置に際し、隣り合う柱５ＢＲ、５ＢＬ同士を互いに溝６を向き合わせ、かつ、それらの間隔を、合板４の横幅寸法Ｗ１より狭い、予め設定された間隔Ｌ１で配置する。隣り合う柱５ＢＲ、５ＢＬ間の間隔Ｌ１は、合板４の幅方向寸法Ｗ１から合板４の左右両側端部８、９を溝６に隠す隠れしろＷ３分を差し引いた距離Ｌ１＝Ｗ１−Ｓ１＝Ｗ１−（Ｗ３×２）に設定される。この距離Ｌ１に応じて柱５Ｂ間のピッチＰＣ１が決定され、このピッチＰＣ１に基づいて柱５Ｂが土台５Ａ上に垂直を確保して配置され、組み立てられる（第１の工程Ｓ１）。次に、組み立てられた隣り合う柱５ＢＲ、５ＢＬ間に、合板４を押し込み、合板４を撓ませて向かい合う柱５ＢＲ、５ＢＬの溝６、６に嵌め入れる（第２の工程Ｓ２）。この第２の工程Ｓ２で、合板４を嵌め入れる際には、まず、合板４の美しい面（化粧面）を屋内ＩＮ側に向け、屋外ＯＵＴ側から合板４の一方の側端部８を一方の柱５ＢＬの溝６に嵌め入れる。次に、合板４の他方の側端部９を他方の柱５ＢＲの側面５Ｂａに当てつけ、合板４のほぼ中央部分に上下均等に力を加え、合板４を屋内ＩＮ側に押し込む。すると、合板４は撓んだ状態となって、他方の側端部９が側面５Ｂａにあてがわれて摺り動き、他方の柱５ＢＲの溝６に導かれ、嵌め入れられる。合板４が柱５ＢＲ、５ＢＬ間に嵌め入れられると、桟木１１を介して合板４と柱５ＢＲ、５ＢＬとが固定されるようになっている。このように、本実施例に係る建築物の施工方法では、軸組５を組み立てた後、合板４を嵌め入れるようにしているので、作業の効率化を図ることができる。さらに、柱５Ｂ間に合板４を撓ませて押し込むだけで、柱５Ｂ間に合板４を容易に組み付けることができ、作業効率が向上する。軸組材５Ａ〜５Ｄの建て込み時、現場の状況により柱５Ｂ間にたとえ微小なずれが生じても、予め設定された溝６の深さに遊びＰ１を持たせているので、合板４を溝６に嵌め込みやすく、合板４の嵌め込み側両端８、９は確実に溝６内に収容される。このため、設計通りの構造耐力が確保される。また、予め規定の寸法にカットされた既成の汎用合板を用いることができるので、従来のように建築物に合わせて軸組材間の寸法に合致させたパネルを予め製作する必要がなく、コストダウンを図ることができる。さらに、柱５Ｂ間へ合板４を嵌め入れる際、格別の技術を必要とすることがないので、高度熟練者でなくとも組付けを行うことができ、作業性および施工性が向上する。
【実施例２】
【００２６】
次に、本発明の第２の実施例に係る建築物１１０について説明する。本発明の第２の実施例に係る建築物１１０は、上記第１の実施例に係る建築物１０では、軸組材５Ａ〜５Ｄの組み立て後、合板４を嵌め入れるようにしているのに対し、合板４のうち一部を、軸組材５Ａ〜５Ｄの組み立ての途中に嵌め入れるようにしている点が異なる他は上記第１の実施例とほぼ同一の構成を備えている。すなわち、本発明の第２の実施例に係る建築物１１０は、図５に示すように、建築物１１０の１階部分の柱５Ｂおよび２階の床梁５Ｃが組み上がった段階で柱５Ｂの垂直を確認し、１階部分に合板４を嵌め入れて１階部分の耐力壁を先行して施工するようにしている。このように構成することにより、仮筋交いで軸組５のゆがみを調整する作業を省略することができる。２階部分の作業についても同様で、軸組５の組み立て時に合板４を嵌め入れて、仮筋交いを取り付ける作業を省略することができる。
【実施例３】
【００２７】
次に、本発明の第３の実施例に係る建築物２１０について説明する。本発明の第３の実施例に係る建築物２１０は、上記第１および第２の実施例に係る建築物１０、１１０が、柱５Ｂ、５Ｂ間を、合板４の横幅寸法（板の嵌め入れ側両端部間の寸法）Ｗ１より狭くした所定の間隔Ｌ１で配置するようにしているのに対し、図６に示すように、柱５ＢＲｘ、５ＢＬｘ間に窓２１１が設けられ、柱５ＢＲｘ、５ＢＬｘ間の間隔が広く規定寸法の合板４に対応させることができない場合、例えば、柱５ＢＲｘ、５ＢＬｘ間のピッチＰＣ２が２０００mmとなる場合、これら、柱５ＢＲｘ、５ＢＬｘ間に別の柱５ＢＭ１、５ＢＭ２を配するようにしている。これら追加の柱５ＢＭ１、５ＢＭ２の端部には、同じ断面寸法（１０５×１０５mm）の柱２１２、２１３を窓台として宛い、これら窓台２１２、２１３の両端を柱５ＢＲｘ、５ＢＬｘに連結するようにしている。柱５ＢＭ１、５ＢＭ２には、柱５ＢＲｘ、５ＢＬｘと同様に、一側面に長手方向の溝２０６（溝幅Ｗ２、溝深さＤ２、本実施例では、溝６と同様Ｗ２、Ｄ２とも１０mmである。）が形成される。このように構成することにより、第３の実施例に係る建築物２１０では、柱５ＢＲｘ−５ＢＭ１間、５ＢＬｘ−５ＢＭ１間、５ＢＲｘ−５ＢＭ２間、５ＢＬｘ−５ＢＭ２間にそれぞれ、現場で上下寸法を所定のサイズにカットされた合板２０４Ａ、２０４Ｂを嵌め入れるようになっている。柱５ＢＲｘ−５ＢＭ１間、５ＢＬｘ−５ＢＭ１間、５ＢＲｘ−５ＢＭ２間、５ＢＬｘ−５ＢＭ２間の長さが、規定規格の合板４の横幅Ｗ１に満たない場合、現場で横幅寸法を所定のサイズにカットし、カットされた合板２０４Ａ、２０４Ｂを嵌め入れるようになっている。このため、現場外の、例えば、加工工場などで壁パネルを柱５ＢＲｘ、５ＢＬｘ、５ＢＭ１、５ＢＭ２の組み立て寸法に合わせて加工製造する必要がない。
【実施例４】
【００２８】
次に、本発明の第４の実施例に係る建築物３１０について説明する。本発明の第４の実施例に係る建築物３１０は、上記第１ないし第３の実施例に係る建築物１０、１１０、２１０が、軸組５の土台５Ａまたは横架材５Ｃ、５Ｄに直接、合板４、２０４Ａ、２０４Ｂを当接させているのに対し、図７に示すように、組み立てられた軸組５に床３１１を張り、床３１１の上面から露出した一対の柱５ＢＲｙ、５ＢＬｙ間に合板３０４を嵌め入れるようにしている。柱５ＢＲｙ、５ＢＬｙは、上記第１〜第３の実施例と同様に、一側面に長手方向の溝３０６（溝幅Ｗ２、溝深さＤ２、本実施例では、Ｗ２、Ｄ２とも１０mmである。）が形成される。合板３０４は、規格寸法の合板４の上下寸法Ｈ１を床３１１の厚さＴ２分カットするようになっている。本実施例では、合板３０４は仕上げられた床３１１の上面に配置されるようになっており、合板３０４の柱５ＢＲｙ、５ＢＬｙ間への嵌め入れは上記第１の実施例と同様である。溝３０６は合板３０４と柱５ＢＲｙ、５ＢＬｙおよび上梁５Ｃとの壁散ＤＦ１が所定の寸法（本実施例では２０mm）となるように決められる。合板３０４が、柱５ＢＲｙ、５ＢＬｙと上梁５Ｃと床３１１とに囲まれた空間に嵌め入れられた際、壁倍率５．０以上の耐力壁を形成することが好ましい。合板３０４が柱５ＢＲｙ、５ＢＬｙの溝３０６、３０６に嵌め入れられると、所定の寸法にカットされた桟木１１を介して固定具（釘、ねじ等）１２により合板３０４と柱５ＢＲｙ、５ＢＬｙとが固定される。桟木１１は、柱５ＢＲｙ、５ＢＬｙ間にも配置され、合板３０４に固定される。次に、合板３０４が固定された桟木１１の反対面には、柱５ＢＲｙ、５ＢＬｙと上梁５Ｃと床３１１とに囲まれた空間の形状に合致してカットされた合板（壁材）３１４を宛い、固定具１２によりこの合板３１４を桟木１１を介して躯体側５ＢＲｙ、５ＢＬｙ、３０４に固定するようになっている。こうして、柱５ＢＲｙ、５ＢＬｙ間には、２枚の合板３０４、３１４により二重壁が形成されるようになっている。
【実施例５】
【００２９】
次に、本発明の第５の実施例に係る建築物４１０について説明する。本発明の第５の実施例に係る建築物４１０は、上記第１ないし第４の実施例に係る建築物１０、１１０、２１０、３１０が、合板４、２０４Ａ、２０４Ｂ、３０４、３１４を軸組５側に固定するようにしているのに対し、図８に示すように、溝６が形成された柱５ＢＲｚ、５ＢＬｚ間に嵌め入れられる合板４０４を躯体側に固定せず、嵌め入れるだけにし、取り外し自在の間仕切り壁として構成している。合板４０４は、規格寸法の合板４であってもよいし、現場で所定の寸法でカットされた合板であってもよい。このように構成することにより、設計の自由度を増すことができるとともに、壁表面が経年劣化すると、新しい壁に取り替えることができる。なお、本実施例に係る建築物４１０については、嵌め入れた合板４０４の両側に当て木をして仮止めするようにしてもよい。
【実施例６】
【００３０】
次に、本発明の第６の実施例に係る建築物５１０について説明する。本発明の第６の実施例に係る建築物５１０は、上記第１ないし第５の実施例に係る建築物１０、１１０、２１０、３１０、４１０が、合板４、２０４Ａ、２０４Ｂ、３０４、３１４、４０４を軸組５側に形成された溝６、２０６、３０６に嵌め入れるようにしているのに対し、図９および図１０に示すように、組み立てられた軸組材５ＢＲ、５ＢＬ、５Ｃと床３１１とにより形成される開口部ＯＰ２に収容可能な枠体５１１と、この枠体５１１に開閉可能に取り付けられた扉５１２とを備えて構成される。枠体５１１は、軸組材５ＢＲ、５ＢＬ、５Ｃおよび床３１１にビス留め施工されるようになっている。このため、ビスの取り付け取り外しにより枠体５１１ごと扉５１２を取り換えたり移動させたりすることができるようになっている。なお、枠体５１１には、図９に示すように、柱５ＢＲ、５ＢＬに溝５０６が形成されており、扉５１２を取り外すと溝５０６、５０６が露出するようになっており、これら溝５０６、５０６に合板を嵌め入れて壁を形成するようにしてもよい。
【００３１】
なお、上記各実施例では、軸組材５Ａ〜５Ｄのうち垂直に建て込まれる柱５Ｂ間に合板４、２０４Ａ、２０４Ｂ、３０４、３１４、４０４を配置する建築物とその施工方法について述べたがこれに限られるものではなく、梁５Ｃ、桁５Ｄなどの横架材（軸組材）間や梁５Ｃと土台５Ａとの間に合板を嵌め込むようにしてもよい。この場合、構造耐力の確保を求めず、例えば、照明器具などの吊り下げに用いるようにしてもよい。また、上記各実施例では、柱として四角柱５Ｂを例示しているがこれに限られるものではなく、円柱や断面が多角形の柱でもよいことはいうまでもない。さらに、上記各実施例では、合板を規定の寸法にカットされた汎用合板を用いているが、この汎用合板を現場でカットして用いるようにしてもよい。こうすることにより軸組材の組み付け寸法の制約が緩やかになり設計の自由度が向上する。また、上記第１ないし第４の各実施例では、軸組材５間に嵌め入れられた合板４、２０４Ａ、２０４Ｂ、３０４、３１４を、桟木１１を介して軸組材５に固定するようにしているがこれに限られるものではなく、金具（固定具）を用いて固定するようにしてもよい。さらに、上記各実施例では、組み立てられた軸組材の開口部に単体の合板を嵌め入れるようにしているがこれに限られるものではなく、合板を複数に分割した分割片により構成し、軸組材間に複数の分割片を嵌め入れ、嵌め入れられた複数の分割片を連結材（桟木、連結金具）により連結するようにしてもよい。また、上記実施例では、既成の合板の一面を化粧壁としてそのまま利用するようにしているが、これに限られるものではなく、現場で既成の合板の一面に隠れしろ分を除いた部分に柔軟性のある化粧を施して軸組材に嵌め入れるようにしてもよい。さらに、上記各実施例では、モノコック構造の住宅について述べているが、これに限られるものではなく、多種の建築物にも適用可能であることはいうまでもない。
【図面の簡単な説明】
【００３２】
【図１】木造軸組構法による軸組構造の構成要素を示す斜視図である。
【図２】本発明の第１の実施例に係る建築物の組み立て時の状態を示す要部の斜視図である。（実施例１）
【図３】（Ａ）ないし（Ｃ）はそれぞれ、上記第１の実施例に係る建築物の組み立て時の要部の状態を示す横断面図、合板を嵌め込む状態を示す横断面図および合板の嵌め込み後外壁を取り付けた状態を示す横断面図である。
【図４】合板の端部が柱の溝に嵌め入れられた状態を一部拡大して示す説明図である。
【図５】本発明の第２の実施例に係る建築物の組み立て時の状態を示す説明図である。（実施例２）
【図６】本発明の第３の実施例に係る建築物の組み立て時の状態を示す説明図である。（実施例３）
【図７】本発明の第４の実施例に係る建築物の組み立て時の状態を示す横断面図である。（実施例４）
【図８】本発明の第５の実施例に係る建築物の組み立て時の状態を示す横断面図である。（実施例５）
【図９】本発明の第６の実施例に係る建築物の組み立て時の状態を示す横断面図である。（実施例６）
【図１０】図９の建築物の正面図である。
【図１１】（Ａ）ないし（Ｄ）はそれぞれ、従来の建築物の組み立て時の状態を示す横断面図である。
【符号の説明】
【００３３】
４  合板（板）
５Ｂ  柱（軸組材）
５ＢＲ、５ＢＬ  柱（軸組材）
６  溝
Ｗ１  合板の横幅寸法（板の嵌め入れ側両端部間の寸法）
Ｌ１  間隔（軸組材間の間隔）
【図１】
2009155980.tif 000003
【図２】
2009155980.tif 000004
【図３】
2009155980.tif 000005
【図４】
2009155980.tif 000006
【図５】
2009155980.tif 000007
【図６】
2009155980.tif 000008
【図７】
2009155980.tif 000009
【図８】
2009155980.tif 000010
【図９】
2009155980.tif 000011
【図１０】
2009155980.tif 000012
【図１１】
2009155980.tif 000013